(57)【要約】【課題】搬送物を温度調節部材によって所定の温度に保って搬送する場合に、温度調節部材による温度を搬送物に効率的に伝達することができ、かつ、複数の搬送物に対しても均一にその温度を伝達する。【解決手段】保冷剤３による温度を、金属からなる台座部１０、支持柱２０ａ，２０ｂ及び枠部材３０を介して、搭載容器４０に搭載された試験管２に入れられた検体に伝達する。【選択図】図２
2014234182.tif 000002
【特許請求の範囲】
【請求項１】
搬送物を収容体に収容して搬送する場合に該搬送を補助する搬送補助具であって、
互いに並行して延びた２つの支持部材を具備し、前記収容体に収容された温度調節部材に接する金属からなる基体部と、
前記２つの支持部材に挟まれた領域に配置され、前記２つの支持部材を結ぶ直線を中心軸として回動自在に前記２つの支持部材に支持された枠部材と、
前記枠部材によって囲まれた領域に配置され、前記２つの支持部材を結ぶ直線に直交する直線を中心軸として回動自在に前記枠部材に支持され、前記搬送物を搭載する搭載部とを有する搬送補助具。
【請求項２】
請求項１に記載の搬送補助具において、
前記搭載部は、前記２つの支持部材を結ぶ直線が向かう方向において、該方向に直交する全幅に渡って表裏から前記基体部に挟まれている搬送補助具。
【請求項３】
請求項１または請求項２に記載の搬送補助具において、
前記枠部材は、金属からなる搬送補助具。
【発明の詳細な説明】
【技術分野】
【０００１】
本発明は、搬送物の収容体に収容しての搬送を補助する搬送補助具に関する。
【背景技術】
【０００２】
従来より、病院等の医療機関において、病気の診療や検査等のために血液や尿等の検体を採取することが行われている。このように採取された検体は検体容器に入れられ、検体の検査を行う検査機関に搬送され、検査機関にて検体の検査が行われることになる。このような検体は、低温に保冷された状態で搬送されることが好ましいものが多い。そのため、保冷剤を収容した保冷容器に検体を収容して搬送することが行われている。
【０００３】
上述したような保冷容器を肩からかけるショルダーバッグタイプとした場合、検体を搬送する作業者の負担を大きくしないために、その重量や大きさに制限が生じてしまう。ここで、保冷容器にキャスターを取り付けた構成が、例えば、特許文献１に開示されている。このような保冷容器を用いれば、作業者の負担をそれほど大きくすることなく、一度に多数の検体を搬送することができるようになる。
【先行技術文献】
【特許文献】
【０００４】
【特許文献１】特開平１０−２６４９７８号公報
【発明の概要】
【発明が解決しようとする課題】
【０００５】
ところで、上述したような保冷容器は、保冷剤による冷気が上から下に流れるため、収容された保冷剤の位置によってはその内部の温度が均一とならない。そのため、上述したような検体が、例えば試験管等の容器に入れられて搬送、保管される場合、保冷剤と容器との配置によっては、検体が保冷剤による保冷効果を十分得られなくなってしまう虞れがある。また、多数の検体が容器に入れられて搬送、保管される場合、容器の配置によっては、保冷剤による保冷効果を十分に得られる検体と保冷効果を十分に得られない検体とが生じてしまう虞れがある。
【０００６】
このような問題は、検体を保冷して搬送する場合に限らず、搬送物を所定の温度に保って搬送する場合にも同様に生じるものである。
【０００７】
本発明は、上述したような従来の技術が有する問題点に鑑みてなされたものであって、搬送物を温度調節部材によって所定の温度に保って搬送する場合に、温度調節部材による温度を搬送物に効率的に伝達することができ、かつ、複数の搬送物に対しても均一にその温度を伝達することができる搬送補助具を提供することを目的とする。
【課題を解決するための手段】
【０００８】
上記目的を達成するために本発明は、
搬送物を収容体に収容して搬送する場合に該搬送を補助する搬送補助具であって、
互いに並行して延びた２つの支持部材を具備し、前記収容体に収容された温度調節部材に接する金属からなる基体部と、
前記２つの支持部材に挟まれた領域に配置され、前記２つの支持部材を結ぶ直線を中心軸として回動自在に前記２つの支持部材に支持された枠部材と、
前記枠部材によって囲まれた領域に配置され、前記２つの支持部材を結ぶ直線に直交する直線を中心軸として回動自在に前記枠部材に支持され、前記搬送物を搭載する搭載部とを有する。
【０００９】
上記のように構成された本発明においては、収容体に収容された温度調節部材が、互いに並行して延びた２つの支持部材を具備する金属からなる基体部に接しているとともに、搬送物が搭載部に搭載されて収容体に収容されており、この搭載部が、２つの支持部材に挟まれた領域に配置され、２つの支持部材を結ぶ直線を中心軸として回動自在に２つの支持部材に支持された枠部材に囲まれた領域において、２つの支持部材を結ぶ直線に直交する直線を中心軸として枠部材に回動自在に支持されているので、搭載部が、２つの支持部材を結ぶ直線が向かう方向において表裏から金属に挟まれていることとなり、温度調節部材による温度が、金属からなる基体部を介して、搭載部に搭載された搬送物に効率的に伝達される。
【００１０】
また、搭載部が、２つの支持部材を結ぶ直線が向かう方向において、該方向に直交する全幅に渡って表裏から基体部に挟まれていれば、温度調節部材による温度がさらに効率的に搬送物に伝達される。
【００１１】
また、枠部材が金属からなるものとすれば、温度調節部材による温度が、金属からなる基体部のみならず枠部材を介して、搭載部に搭載された搬送物に効率的に伝達される。
【発明の効果】
【００１２】
本発明によれば、温度調節部材による温度が、金属からなる基体部を介して、搭載部に搭載された搬送物に効率的に搬送物に伝達されることになり、搬送物を温度調節部材によって所定の温度に保って搬送する場合に、温度調節部材による温度を搬送物に効率的に伝達することができ、かつ、複数の搬送物に対しても均一にその温度を伝達することができる。
【００１３】
また、搭載部が、２つの支持部材を結ぶ直線が向かう方向において、該方向に直交する全幅に渡って表裏から基体部に挟まれたものにおいては、温度調節部材による温度をさらに効率的に搬送物に伝達することができる。
【００１４】
また、枠部材が金属からなるものにおいては、温度調節部材による温度を、金属からなる基体部のみならず枠部材を介して、搭載部に搭載された搬送物に効率的に伝達することができる。
【図面の簡単な説明】
【００１５】
【図１】本発明の搬送補助具の第１の実施の形態を示す図であり、（ａ）は外観斜視図、（ｂ）は上方から見た支持柱と枠部材と搭載容器との位置関係を示す図、（ｃ）は（ａ）に示した矢印Ｃ方向から見た枠部材と搭載容器との位置関係を示す図、（ｄ）は（ａ）に示した矢印Ｄ方向から見た枠部材と搭載容器との位置関係を示す図である。
【図２】図１に示した搬送補助具の使用方法を説明するための図である。
【図３】図１及び図２に示した搬送補助具のジンバル機構による作用を説明するための図である。
【図４】図１及び図２に示した搬送補助具による保冷作用を説明するための図である。
【図５】本発明の搬送補助具の第２の実施の形態を示す図であり、（ａ）は外観斜視図、（ｂ）は上方から見た支持板と枠部材と搭載容器との位置関係を示す図、（ｃ）は（ａ）に示した矢印Ｃ方向から見た支持板と枠部材と搭載容器との位置関係を示す図である。
【図６】図５に示した搬送補助具の使用方法を説明するための図である。
【図７】図５及び図６に示した搬送補助具のジンバル機構による作用を説明するための図である。
【図８】図５及び図６に示した搬送補助具による保冷作用を説明するための図である。
【発明を実施するための形態】
【００１６】
以下に、本発明の実施の形態について図面を参照して説明する。
【００１７】
（第１の実施の形態）
図１は、本発明の搬送補助具の第１の実施の形態を示す図であり、（ａ）は外観斜視図、（ｂ）は上方から見た支持柱２０ａ，２０ｂと枠部材３０と搭載容器４０との位置関係を示す図、（ｃ）は（ａ）に示した矢印Ｃ方向から見た枠部材３０と搭載容器４０との位置関係を示す図、（ｄ）は（ａ）に示した矢印Ｄ方向から見た枠部材３０と搭載容器４０との位置関係を示す図である。
【００１８】
本形態における搬送補助具１は図１に示すように、台座部１０上に支持部材となる２本の支持柱２０ａ，２０ｂが取り付けられ、この２本の支持柱２０ａ，２０ｂに枠部材３０が支持され、さらに、枠部材３０に搭載部となる搭載容器４０が支持されて構成されており、台座部１０と支持柱２０ａ，２０ｂとから基体部が構成される。
【００１９】
台座部１０は、アルミ等の金属からなり、この搬送補助具１が取り付けられる収容体に支持可能に構成されており、温度調節部材となる保冷剤１０を収容、保持するための収容部１１を有している。
【００２０】
支持柱２０ａ，２０ｂは、アルミ等の金属からなり、台座部１０の対向する端辺近傍に互いに対向するように起立して取り付けられており、台座部１０から互いに並行して延びている。支持柱２０ａ，２０ｂの先端部近傍には、支持柱２０ａ，２０ｂを跨ぐようにして取っ手２１が回動自在に取り付けられている。
【００２１】
枠部材３０は、アルミ等の金属からなり、隣接する面どうしが互いに直交する４つの面を有している。この４つの面のうち互いに対向する２つの面にて取っ手２１の端部によって支持柱２０ａ，２０ｂに支持されている。取っ手２１の端部によって枠部材３０が支持柱２０ａ，２０ｂに支持されている部分は、枠部材３０が取っ手２１の端部を中心軸として支持柱２０ａ，２０ｂに対して回動自在なものとなっており、それにより、枠部材３０は、取っ手２１の端部を中心軸として図中Ａ方向に回動する。すなわち、枠部材３０は、２本の支持柱２０ａ，２０ｂに挟まれた領域に配置され、２本の支持柱２０ａ，２０ｂを結ぶ直線を中心軸として回動自在に支持柱２０ａ，２０ｂに支持されていることになる。また、枠部材３０には、上記４つの面のうち、取っ手２１の端部によって支持柱２０ａ，２０ｂに支持されていない２つの面の互いに対向する位置に、固定用ビス３１ａ，３１ｂが取り付けられている。
【００２２】
搭載容器４０は、固定用ビス３１ａ，３１ｂによって枠部材３０に支持されている。固定用ビス３１ａ，３１ｂによって搭載容器４０が枠部材３０に支持されている部分は、固定用ビス３１ａ，３１ｂを中心軸として搭載容器４０が枠部材３０に対して回動自在なものとなっており、それにより、搭載容器４０は、枠部材３０を構成する４つの面に囲まれた領域にて固定ビス３１ａ，３１ｂを中心軸として図中Ｂ方向に回動する。すなわち、搭載容器４０は、２本の支持柱２０ａ，２０ｂを結ぶ直線に直交する直線を中心軸として回動自在に枠部材３０に支持されていることになる。搭載容器４０は、枠部材３０を構成する４つの面に囲まれた領域にて図中Ｂ方向に回動自在なものであることから、図１（ｂ）〜（ｄ）に示すように、その幅が、支持柱２０ａ，２０ｂを結ぶ直線が向かう方向、並びにそれに直交する方向のそれぞれについて枠部材３０よりも狭くなっている。また、高さ方向については、図１（ｃ），（ｄ）に示すようにその一部が枠部材３０に対向している。これにより、搭載容器４０は、枠部材３０を構成する４つの面に囲まれた領域に配置され、支持柱２０ａ，２０ｂを結ぶ直線が向かう方向、並びにそれに直交する方向のそれぞれにおいて、その方向に直交する全幅に渡って表裏から、枠部材３０のその方向にて対向する２つの面に挟まれた状態となっている。なお、搭載容器４０は、金属や樹脂等、適宜設定される材料から構成されている。
【００２３】
このように本形態の搬送補助具１は、互いに直交する２つの軸を組み合わせることで、搭載容器４０を任意の方向に傾けることができるジンバル機構を有している。
【００２４】
以下に、上記のように構成された搬送補助具１の使用方法について説明する。
【００２５】
図２は、図１に示した搬送補助具１の使用方法を説明するための図である。
【００２６】
図１に示した搬送補助具１は、例えば、検体を搬送する場合に使用される。その場合、図２に示すように、搬送物となる検体が入れられた複数の試験管２を搭載容器４０に収容して搭載する。この際、搭載容器４０に、試験管２を挿入可能な穴が設けられたスポンジ等の保持部材を収容しておき、このスポンジの穴に試験管２を挿入することにより、試験管２を搭載容器４０に収容することが考えられる。
【００２７】
また、図２に示すように、台座部１０の収容部１１に保冷剤３を収容することによって保冷剤３を台座部１０にて保持する。保冷剤３が収容部１１に収容された状態では、保冷剤３が台座部１０に接することになる。保冷剤３は、例えば、冷凍庫等にて冷却して凝固させた状態で、収容部１１に収容する。
【００２８】
このようにして、搭載容器４０に試験管２が搭載されるとともに、台座部１０にて保冷剤３が保持された搬送補助具１が、キャリーバッグ等の収容体に取り付けられ、試験管２に入れられた検体が搬送されることになる。
【００２９】
以下に、上述した搬送補助具１による作用について説明する。
【００３０】
まず、上述したジンバル機構による作用について説明する。
【００３１】
図３は、図１及び図２に示した搬送補助具１のジンバル機構による作用を説明するための図であり、搬送補助具１が取り付けられたキャリーバッグが傾けられた状態を示す。
【００３２】
図１及び図２に示した搬送補助具１がキャリーバッグ４に収容され、台座部１０によって固定されている状態において、支持柱２０ａ，２０ｂが対向する方向とは直交する方向にキャリーバッグ４が傾けられると、図３（ａ）に示すように、台座部１０及び支持柱２０ａ，２０ｂは、キャリーバッグ４とともに、２本の支持柱２０ａ，２０ｂが対向する方向とは直交する方向に傾く。ところが、枠部材３０は、取っ手２１の端部によってこの端部を中心軸として支持柱２０ａ，２０ｂに回動自在に支持されているため、支持柱２０ａ，２０ｂが傾いてもジャイロ効果によってその傾く力が枠部材３０に作用せず、元の状態、すなわち、水平となる状態が保持される。また、搭載容器４０は、固定用ビス３１ａ，３１ｂによって固定用ビス３１ａ，３１ｂを中心軸として回動自在に枠部材３０に支持されているものの、固定用ビス３１ａ，３１ｂによる軸は、搬送補助具１が傾く方向に延びるものであるため、搭載容器４０は枠部材３０に対して回動せず、枠部材３０とともに元の状態、すなわち、試験管２の搭載面が水平となる状態が保持される。
【００３３】
また、図１及び図２に示した搬送補助具１がキャリーバッグ４に収容され、台座部１０によって固定されている状態において、支持柱２０ａ，２０ｂが対向する方向にキャリーバッグ４が傾けられると、図３（ｂ）に示すように、台座部１０及び支持柱２０ａ，２０ｂは、キャリーバッグ４とともに、２本の支持柱２０ａ，２０ｂが対向する方向に傾く。また、枠部材３０においても、取っ手２１の端部によってこの端部を中心軸として回動自在に支持柱２０ａ，２０ｂに支持されているものの、取っ手２１の端部による軸は、搬送補助具１が傾く方向に延びるものであるため、枠部材３０は支持柱２０ａ，２０ｂに対して回動せず、台座部１０及び支持柱２０ａ，２０ｂとともに、２本の支持柱２０ａ，２０ｂが対向する方向に傾く。ところが、搭載容器４０は、固定用ビス３１ａ，３１ｂによって固定用ビス３１ａ，３１ｂを中心軸としてキャリーバッグ４が傾く方向に枠部材３０に回動自在に支持されているため、枠部材３０が傾いてもジャイロ効果によってその傾く力が搭載容器４０に作用せず、元の状態、すなわち、試験管２の搭載面が水平となる状態が保持される。
【００３４】
このように、キャリーバッグ４をいずれの方向に傾けた場合でも、搭載容器４０の向きが一定となり、搭載容器４０に搭載された試験管２が傾くことがなく、試験管２に入れられた検体が試験管２からこぼれることがなくなる。
【００３５】
次に、搬送補助具１による保冷作用について説明する。
【００３６】
図４は、図１及び図２に示した搬送補助具１による保冷作用を説明するための図である。
【００３７】
上述したように、保冷剤３が収容部１１に収容された状態では、保冷剤３が台座部１０に接しており、台座部１０が金属からなるものであるため、保冷剤３による温度が台座部１０に伝達される。
【００３８】
また、台座部１０には２本の支持柱２０ａ，２０ｂが取り付けられていることにより、保冷剤３による温度が台座部１０を介して支持柱２０ａ，２０ｂに伝達される。さらに、支持柱２０ａ，２０ｂが金属からなるものであるため、保冷剤３による温度が台座部１０に対する取り付け部分から支持柱２０ａ，２０ｂの先端部に伝達される。
【００３９】
支持柱２０ａ，２０ｂの先端部近傍には、取っ手２１が取り付けられており、この取っ手２１の端部によって枠部材３０が支持されているため、保冷剤３による温度は枠部材３０に伝達される。さらに、枠部材３０が金属からなるものであるため、保冷剤３による温度が支持柱２０ａ，２０ｂによる支持部分から枠部材３０の全体に伝達される。
【００４０】
このようにして伝達された保冷剤３による温度は、図４中矢印で示すように、枠部材３０を構成する４つの面からこの４つの面に囲まれた領域に伝達される。
【００４１】
ここで、上述したように、枠部材３０を構成する４つの面に囲まれた領域には搭載容器４０が回動自在に配置されている。すなわち、搭載容器４０は、支持柱２０ａ，２０ｂを結ぶ直線が向かう方向、並びにそれに直交する方向のそれぞれにおいて、その方向に直交する全幅に渡って表裏から、枠部材３０のその方向にて対向する２つの面に挟まれた状態となっている。そのため、枠部材３０に伝達された保冷剤３による温度が搭載容器４０に搭載された試験管２に入れられた検体に伝達されることになる。
【００４２】
このように、保冷剤３による温度が、金属からなる、台座部１０、支持柱２０ａ，２０ｂ及び枠部材３０を介して、搭載容器４０に搭載された、試験管２に入れられた検体に伝達されることになる。それにより、検体を保冷剤３によって所定の温度に保って搬送する場合に、保冷剤３による温度を検体に効率的に伝達することができ、かつ、複数の検体に対しても均一にその温度を伝達することができるようになる。また、上述したジンバル機構によって枠部材３０や搭載容器４０がキャリーバッグ４に対して回動することによってキャリーバッグ４内の温度が撹拌され、それによっても、複数の検体に対して均一にその温度を伝達することができる。なお、搭載容器４０をメッシュ状のものから構成することにより、保冷剤３による温度を検体にさらに伝達しやすくすることができる。
【００４３】
（第２の実施の形態）
図５は、本発明の搬送補助具の第２の実施の形態を示す図であり、（ａ）は外観斜視図、（ｂ）は上方から見た支持板１２０ａ，１２０ｂと枠部材１３０と搭載容器１４０との位置関係を示す図、（ｃ）は（ａ）に示した矢印Ｃ方向から見た支持板１２０ａと枠部材１３０と搭載容器１４０との位置関係を示す図である。
【００４４】
本形態における搬送補助具１０１は図５に示すように、アルミ等の金属からなる基体部を構成する１枚の板が略コの字型に折り曲げられることによって底部１２２及び支持部材となる２枚の支持板１２０ａ，１２０ｂが形成され、この２枚の支持板１２０ａ，１２０ｂに枠部材１３０が支持され、さらに、枠部材１３０に搭載部となる搭載容器１４０が支持されて構成されている。
【００４５】
底部１２２は、この搬送補助具１０１が取り付けられる収容体に支持可能に構成されており、温度調節部材となる保冷剤１１０をその上部に保持する。
【００４６】
支持板１２０ａ，１２０ｂは、底部１２２から互いに並行して延びているが、底部１２２側の間隔が狭くなるように一部がテーパー状となっている。支持板１２０ａ，１２０ｂの先端部近傍には、支持板１２０ａ，１２０ｂを跨ぐようにして取っ手１２１が回動自在に取り付けられている。
【００４７】
枠部材１３０は、隣接する面どうしが互いに直交する４つの面を有している。この４つの面のうち互いに対向する２つの面にて取っ手１２１の端部によって支持板１２０ａ，１２０ｂに支持されている。取っ手１２１の端部によって枠部材１３０が支持板１２０ａ，１２０ｂに支持されている部分は、枠部材１３０が取っ手１２１の端部を中心軸として支持柱１２０ａ，１２０ｂに対して回動自在なものとなっており、それにより、枠部材１３０は、取っ手１２１の端部を中心軸として図中Ａ方向に回動する。すなわち、枠部材１３０は、２枚の支持板１２０ａ，１２０ｂに挟まれた領域に配置され、２枚の支持板１２０ａ，１２０ｂを結ぶ直線を中心軸として回動自在に支持板１２０ａ，１２０ｂに支持されていることになる。また、枠部材１３０には、上記４つの面のうち、取っ手１２１の端部によって支持板１２０ａ，１２０ｂに支持されていない２つの面の互いに対向する位置に、固定用ビス１３１ａ，１３１ｂが取り付けられている。また、枠部材１３０を構成する４つの面のうち、取っ手１２１の端部によって枠部材１３０が支持板１２０ａ，１２０ｂに支持されている面は、図５（ｂ），（ｃ）に示すように、その幅が支持板１２０ａ，１２０ｂの幅よりも狭くなっている。
【００４８】
搭載容器１４０は、固定用ビス１３１ａ，１３１ｂによって枠部材１３０に支持されている。固定用ビス１３１ａ，１３１ｂによって搭載容器１４０が枠部材１３０に支持されている部分は、固定用ビス１３１ａ，１３１ｂを中心軸として搭載容器１４０が枠部材１３０に対して回動自在なものとなっており、それにより、搭載容器１４０は、枠部材１３０を構成する４つの面に囲まれた領域にて固定ビス１３１ａ，１３１ｂを中心軸として図中Ｂ方向に回動する。すなわち、搭載容器１４０は、２枚の支持板１２０ａ，１２０ｂを結ぶ直線に直交する直線を中心軸として回動自在に枠部材１３０に支持されていることになる。搭載容器１４０は、枠部材１３０を構成する４つの面に囲まれた領域にて図中Ｂ方向に回動自在なものであることから、図５（ｂ），（ｃ）に示すように、その幅が、支持板１２０ａ，１２０ｂを結ぶ直線が向かう方向、並びにそれに直交する方向のそれぞれについて枠部材１３０よりも狭くなっている。これにより、搭載容器１４０は、支持板１２０ａ，１２０ｂを結ぶ直線が向かう方向において、その方向に直交する全幅に渡って表裏から支持板１２０ａ，１２０ｂに挟まれた状態となっている。なお、搭載容器４０は、金属や樹脂等、適宜設定される材料から構成されている。
【００４９】
このように本形態の搬送補助具１０１は、互いに直交する２つの軸を組み合わせることで、搭載容器１４０を任意の方向に傾けることができるジンバル機構を有している。
【００５０】
以下に、上記のように構成された搬送補助具１０１の使用方法について説明する。
【００５１】
図６は、図５に示した搬送補助具１０１の使用方法を説明するための図である。
【００５２】
図５に示した搬送補助具１０１は、例えば、検体を搬送する場合に使用される。その場合、図６に示すように、搬送物となる検体が入れられた複数の試験管１０２を搭載容器１４０に収容して搭載する。この際、搭載容器１４０に、試験管１０２を挿入可能な穴が設けられたスポンジ等の保持部材を収容しておき、このスポンジの穴に試験管１０２を挿入することにより、試験管１０２を搭載容器１４０に収容することが考えられる。
【００５３】
また、図６に示すように、底部１２２上に保冷剤１０３を載置することによって保冷剤１０３を底部１２２にて保持する。保冷剤１０３が底部１２２上に載置された状態では、保冷剤１０３が底部１２２に接している。保冷剤１０３は、例えば、冷凍庫等にて冷却して凝固させた状態で、底部１２２上に載置する。
【００５４】
このようにして、搭載容器１４０に試験管１０２が搭載されるとともに、底部１２２にて保冷剤１０３が保持された搬送補助具１０１が、キャリーバッグ等の収容体に取り付けられ、試験管１０２に入れられた検体が搬送されることになる。この際、支持板１２０ａ，１２０ｂが、底部１２２側の間隔が狭くなるように一部がテーパー状となっていることにより、搬送補助具１０１をキャリーバッグの上部から収容しやすくなっている。
【００５５】
以下に、上述した搬送補助具１０１による作用について説明する。
【００５６】
まず、上述したジンバル機構による作用について説明する。
【００５７】
図７は、図５及び図６に示した搬送補助具１０１のジンバル機構による作用を説明するための図であり、搬送補助具１０１が取り付けられたキャリーバッグが傾けられた状態を示す。
【００５８】
図５及び図６に示した搬送補助具１０１がキャリーバッグ１０４に収容され、底部１２２にて固定されている状態において、支持板１２０ａ，１２０ｂが対向する方向とは直交する方向にキャリーバッグ１０４が傾けられると、図７（ａ）に示すように、底部１２２及び支持板１２０ａ，１２０ｂは、キャリーバッグ１０４とともに、２枚の支持板１２０ａ，１２０ｂが対向する方向とは直交する方向に傾く。ところが、枠部材１３０は、取っ手１２１の端部によってこの端部を中心軸として支持板１２０ａ，１２０ｂに回動自在に支持されているため、支持板１２０ａ，１２０ｂが傾いてもジャイロ効果によってその傾く力が枠部材１３０に作用せず、元の状態、すなわち、水平となる状態が保持される。また、搭載容器１４０は、固定用ビス１３１ａ，１３１ｂによって固定用ビス１３１ａ，１３１ｂを中心軸として回動自在に枠部材１３０に支持されているものの、固定用ビス１３１ａ，１３１ｂによる軸は、搬送補助具１０１が傾く方向に延びるものであるため、搭載容器１４０は枠部材１３０に対して回動せず、枠部材１３０とともに元の状態、すなわち、試験管１０２の搭載面が水平となる状態が保持される。
【００５９】
また、図５及び図６に示した搬送補助具１０１がキャリーバッグ１０４に収容され、底部１２２にて固定されている状態において、支持板１２０ａ，１２０ｂが対向する方向にキャリーバッグ１０４が傾けられると、図７（ｂ）に示すように、底部１２２及び支持板１２０ａ，１２０ｂは、キャリーバッグ１０４とともに、２枚の支持板１２０ａ，１２０ｂが対向する方向に傾く。また、枠部材１３０においても、取っ手１２１の端部によってこの端部を中心軸として回動自在に支持板１２０ａ，１２０ｂに支持されているものの、取っ手１２１の端部による軸は、搬送補助具１０１が傾く方向に延びるものであるため、枠部材１３０は支持板１２０ａ，１２０ｂに対して回動せず、底部１２２及び支持板１２０ａ，１２０ｂとともに、２枚の支持板１２０ａ，１２０ｂが対向する方向に傾く。ところが、搭載容器１４０は、固定用ビス１３１ａ，１３１ｂによって固定用ビス１３１ａ，１３１ｂを中心軸としてキャリーバッグ１０４が傾く方向に枠部材１３０に回動自在に支持されているため、枠部材１３０が傾いてもジャイロ効果によってその傾く力が搭載容器１４０に作用せず、元の状態、すなわち、試験管１０２の搭載面が水平となる状態が保持される。
【００６０】
このように、キャリーバッグ１０４をいずれの方向に傾けた場合でも、搭載容器１４０の向きが一定となり、搭載容器１４０に搭載された試験管１０２が傾くことがなく、試験管１０２に入れられた検体が試験管１０２からこぼれることがなくなる。
【００６１】
次に、搬送補助具１０１による保冷作用について説明する。
【００６２】
図８は、図５及び図６に示した搬送補助具１０１による保冷作用を説明するための図である。
【００６３】
上述したように、保冷剤１０３が底部１２２上に載置された状態では、保冷剤１０３が底部１２２に接しており、底部１２２が金属からなるものであるため、保冷剤１０３による温度が底部１２２に伝達される。
【００６４】
また、２枚の支持板１２０ａ，１２０ｂは、底部１２２とともに金属からなる１枚の板の一部であるため、保冷剤１０３による温度が底部１２２を介して支持板１２０ａ，１２０ｂの全体に伝達される。
【００６５】
このようにして伝達された保冷剤１０３による温度は、図８中矢印で示すように、２枚の支持板１２０ａ，１２０ｂによって挟まれた領域に伝達される。
【００６６】
ここで、上述したように、枠部材１３０の支持板１２０ａ，１２０ｂに支持されている面は、その幅が支持板１２０ａ，１２０ｂの幅よりも狭くなっており、また、搭載容器１４０が、枠部材１３０を構成する４つの面に囲まれた領域にて回動可能に存在しており、それにより、搭載容器１４０は、支持板１２０ａ，１２０ｂを結ぶ直線が向かう方向において、その方向に直交する全幅に渡って表裏から支持板１２０ａ，１２０ｂに挟まれた状態となっている。そのため、支持板１２０ａ，１２０ｂの全体に伝達された保冷剤１０３による温度が、搭載容器１４０に搭載された試験管１０２に入れられた検体に伝達されることになる。なお、本形態における枠部材１３０を金属からなるものとしてもよい。その場合、枠部材１３０の形状を、その４つの面によって搭載容器１４０を囲み、支持柱１２０ａ，１２０ｂを結ぶ直線が向かう方向、並びにそれに直交する方向のそれぞれにおいて、その方向に直交する全幅に渡って搭載容器１４０の全体を表裏から挟むようなものとすることにより、保冷剤１０３による温度を枠部材１３０を介しても、搭載容器１４０に搭載された試験管１０２に入れられた検体に伝達することができる。
【００６７】
このように、保冷剤１０３による温度が、金属からなる、底部１２２及び支持板１２０ａ，１２０ｂを介して、搭載容器１４０に搭載された、試験管１０２に入れられた検体に伝達されることになる。それにより、検体を保冷剤１０３によって所定の温度に保って搬送する場合に、保冷剤１０３による温度を検体に効率的に伝達することができ、かつ、複数の検体に対しても均一にその温度を伝達することができるようになる。また、上述したジンバル機構によって枠部材１３０や搭載容器１４０がキャリーバッグ１０４に対して回動することによってキャリーバッグ１０４内の温度が撹拌され、それによっても、複数の検体に対して均一にその温度を伝達することができる。なお、搭載容器１４０をメッシュ状のものから構成することにより、保冷剤１０３による温度を検体にさらに伝達しやすくすることができる。
【００６８】
このように、上述した実施の形態においては、保冷剤３に接している台座部１０及びこれに取り付けられた支持柱２０ａ，２０ｂと、支持柱２０ａ，２０ｂに回動自在に支持された枠部材３０とが金属からなり、検体が入れられた試験管２が搭載された搭載容器４０が、支持柱２０ａ，２０ｂを結ぶ直線が向かう方向、並びにそれに直交する方向のそれぞれにおいて、その方向に直交する全幅に渡って表裏から、枠部材３０のその方向にて対向する２つの面に挟まれた状態となっていたり、保冷剤１０３に接している底部１２２及びこれから延びた支持板１２０ａ，１２０ｂが金属からなり、検体が入れられた試験管１０２が搭載された搭載容器１４０が、支持板１２０ａ，１２０ｂを結ぶ直線が向かう方向において、その方向に直交する全幅に渡って表裏から支持板１２０ａ，１２０ｂに挟まれた状態となっていたりすることにより、搭載容器３０，１３０が、少なくとも一方向において、該方向に直交する全幅に渡って表裏から金属に挟まれていることとなり、保冷剤３，１０３による温度が、金属からなる台座部１０、支持柱２０ａ，２０ｂ及び枠部材３０、あるいは底部１２２及び支持板１２０ａ，１２０ｂを介して、搭載容器３０，１３０に搭載された試験管２，１０２に入れられた検体に効率的に伝達される。
【００６９】
なお、上述した実施の形態においては、基体部が、台座部１０と支持柱２０ａ，２０ｂ、あるいは底部１２２と支持板１２０ａ，１２０ｂを構成する１枚の板から構成されているが、２つの支持部材のみから構成することも考えられる。その場合、保冷剤は、２つの支持部材に接し、保冷剤による温度がこの２つの支持部材、あるいは２つの支持部材及び枠部材を介して搭載容器に伝達されることになる。
【００７０】
また、本発明の最低限の条件として、第１の実施の形態に示したもののように、搭載容器４０が支持柱２０ａ，２０ｂによってその全幅のうち一部のみにて表裏から挟まれている構成においても、搭載容器４０が金属からなる支持柱２０ａ，２０ｂに挟まれた領域に配置されていれば、枠部材３０が金属からなるものではなくても、収容部１１に収容された保冷剤３による温度が、台座部１０及び支持柱２０ａ，２０ｂを介して、搭載容器３０に搭載された試験管２に入れられた検体に効率的に伝達されることになる。同様に、第２の実施の形態に示したものにおいて、支持板１２０ａ，１２０の形状が、枠部材１３０や搭載容器１４０をそれらの全幅のうち一部のみを表裏から挟む構成であってもよい。
【００７１】
また、上述した実施の形態における台座部１０、支持柱２０ａ，２０ｂ、枠部材３０、底部１２２及び支持板１２０ａ，１２０ｂは、アルミ以外にも、銅やステンレス等であってもよい。
【００７２】
また、上述した実施の形態においては、枠部材３０，１３０が、取っ手２１，１２１によって支持柱２０ａ，２０ｂや支持板１２０ａ，１２０ｂに回動自在に支持されているが、枠部材３０，１３０が、支持柱２０ａ，２０ｂや支持板１２０ａ，１２０ｂに回動自在に支持される部分にビス等を設ければ、取っ手２１，１２１はなくてもよい。
【符号の説明】
【００７３】
１，１０１    搬送補助具
２，１０２    試験管
３，１０３    保冷剤
４，１０４    キャリーバッグ
１０    台座部
１１    収容部
２０ａ，２０ｂ    支持柱
２１，１２１    取っ手
３０，１３０    枠部材
３１ａ，３１ｂ，１３１ａ，１３１ｂ    固定用ビス
４０，１４０    搭載容器
１２０ａ，１２０ｂ    支持板
１２２    底部
【図１】
2014234182.tif 000003
【図２】
2014234182.tif 000004
【図３】
2014234182.tif 000005
【図４】
2014234182.tif 000006
【図５】
2014234182.tif 000007
【図６】
2014234182.tif 000008
【図７】
2014234182.tif 000009
【図８】
2014234182.tif 000010